(57)【要約】【課題】遊技の興趣が向上した弾球遊技機を提供すること。【解決手段】遊技盤に回転可能に設けられて遊技球を撥ね返す回転反発機構を備え、前記回転反発機構は、前記遊技盤の法線方向に延在するように該遊技盤に設けられた回転軸と、前記回転軸を中心に回転可能に設けられた回転体と、前記回転体の周方向の側面の一部分に設けられた第１反発部であって、該第１反発部の、前記一部と反対側の端部に設けられた第１部材、および伸縮方向が前記遊技盤の面内方向であり、前記第１部材に遊技球が衝突すると変形する第１バネ部材を有する第１反発部と、前記回転体の周方向の側面の前記一部分とは異なる部分に設けられた第２反発部であって、該第２反発部の、前記異なる部分と反対側の端部に設けられた第２部材、及び伸縮方向が前記面内方向であり、前記第２部材に遊技球が衝突すると変形する第２バネ部材を有する第２反発部と、を備え、前記第１バネ部材のバネ定数が前記第２バネ部材のバネ定数より大きい弾球遊技機。【選択図】図２
2017221306.tif 000002
【特許請求の範囲】
【請求項１】
遊技盤に回転可能に設けられて遊技球を撥ね返す回転反発機構を備え、
前記回転反発機構は、
前記遊技盤の法線方向に延在するように該遊技盤に設けられた回転軸と、
前記回転軸を中心に回転可能に設けられた回転体と、
前記回転体の周方向の側面の一部分に設けられた第１反発部であって、該第１反発部の、前記一部と反対側の端部に設けられた第１部材、および伸縮方向が前記遊技盤の面内方向であり、前記第１部材に遊技球が衝突すると変形する第１バネ部材を有する第１反発部と、
前記回転体の周方向の側面の前記一部分とは異なる部分に設けられた第２反発部であって、該第２反発部の、前記異なる部分と反対側の端部に設けられた第２部材、及び伸縮方向が前記面内方向であり、前記第２部材に遊技球が衝突すると変形する第２バネ部材を有する第２反発部と、を備え、
前記第１バネ部材のバネ定数が前記第２バネ部材のバネ定数より大きい
ことを特徴とする弾球遊技機。
【請求項２】
前記第１部材の反発係数が前記第２部材の反発係数より大きい
ことを特徴とする請求項１に記載の弾球遊技機。
【発明の詳細な説明】
【技術分野】
【０００１】
本発明は、弾球遊技機に関する。
【背景技術】
【０００２】
弾球遊技機（以下、「パチンコ機」と称する）の遊技盤には釘や風車等が設けられており、遊技盤に打ち出された遊技球はこれらの釘や風車等に当たって不規則に動きながら落下していく。また、遊技球を吸着した状態で回転した後に発射することで遊技球の動きに変化を与えるバンパーを備えるパチンコ機が開示されている（特許文献１参照）。
【先行技術文献】
【特許文献】
【０００３】
【特許文献１】特開２００３−１８０９８２号公報
【発明の概要】
【発明が解決しようとする課題】
【０００４】
しかしながら、上記したパチンコ機では、遊技を続けている間に遊技球のバンパーへの突入角度から発射方向を予測できるようになり、遊技の興趣を効果的に高めることができない可能性がある。
【０００５】
本発明は上記に鑑みてなされたものであって、１つの側面では、遊技の興趣が向上した弾球遊技機を提供することを目的とする。
【課題を解決するための手段】
【０００６】
本発明の一態様の弾球遊技機によれば、遊技盤に回転可能に設けられて遊技球を撥ね返す回転反発機構を備え、前記回転反発機構は、前記遊技盤の法線方向に延在するように該遊技盤に設けられた回転軸と、前記回転軸を中心に回転可能に設けられた回転体と、前記回転体の周方向の側面の一部分に設けられた第１反発部であって、該第１反発部の、前記一部と反対側の端部に設けられた第１部材、および伸縮方向が前記遊技盤の面内方向であり、前記第１部材に遊技球が衝突すると変形する第１バネ部材を有する第１反発部と、前記回転体の周方向の側面の前記一部分とは異なる部分に設けられた第２反発部であって、該第２反発部の、前記異なる部分と反対側の端部に設けられた第２部材、及び伸縮方向が前記面内方向であり、前記第２部材に遊技球が衝突すると変形する第２バネ部材を有する第２反発部と、を備え、前記第１バネ部材のバネ定数が前記第２バネ部材のバネ定数より大きい。
【発明の効果】
【０００７】
本発明の実施形態によれば、１つの側面では、遊技の興趣が向上した弾球遊技機が提供される。
【図面の簡単な説明】
【０００８】
【図１】本発明の一実施形態に係るパチンコ機の外観構成を示す図である。
【図２】本発明の一実施形態に係る回転反発機構の構成を示す図である。
【図３】本発明の一実施形態に係る回転反発機構の第１反発部によって遊技球が撥ね返される様子を示す図である。
【図４】本発明の一実施形態に係る回転反発機構の第１反発部及び第２反発部によって遊技球が撥ね返される様子を示す図である。
【発明を実施するための形態】
【０００９】
以下、図面を参照して発明を実施するための形態について説明する。各図面において、同一構成部分には同一符号を付し、重複した説明を省略する場合がある。
【００１０】
（パチンコ機の外観構成）
図１は、本発明の一実施形態に係るパチンコ機の外観構成を示す図である。パチンコ機１０は、前面枠１０１の前面に前面ガラス枠１０２が図１において左方向に開くように回動可能に取り付けられている。また、前面枠１０１の内側には、遊技盤１０３が設けられている。
【００１１】
遊技盤１０３には、大当たり抽せんの結果等を示す様々な演出が施された映像を表示するディスプレイ１０４、遊技球の入球が大当たり抽せんの契機となる始動口１０５、大当たり発生時に開放される大入賞口１０６、始動口１０５及び大入賞口１０６に入らなかった遊技球を排出する排出口１０７等が設けられている。
【００１２】
また、遊技盤１０３には、釘、風車、回転反発機構１１Ａ、１１Ｂが設けられている。遊技盤１０３の左下部分から左側面に沿って発射される遊技球は、遊技盤１０３の上部に達した後、釘、風車、回転反発機構１１Ａ、１１Ｂに当たって進路を変えながら落下する。始動口１０５及び大入賞口１０６に入らずに遊技盤１０３の下部まで落下した遊技球は、排出口１０７から排出される。以下では、同様の構成を備える回転反発機構１１Ａ、１１Ｂについて、符号を省略して「回転反発機構１１」と称して説明する場合がある。
【００１３】
遊技盤１０３のディスプレイ１０４の前面には、ワープ孔５１からステージ５３に通じるワープ通路５２が左右に設けられている。ステージ５３は、始動口１０５の上方に設けられ、遊技球を始動口１０５に導く誘導溝５４を有する。
【００１４】
ワープ孔５１に入球した遊技球は、ワープ通路５２を通ってステージ５３に導かれる。ステージ５３に導かれた遊技球は、ステージ５３上で左右に転動した後に誘導溝５４から始動口１０５に向かって落下し、高確率で始動口１０５に入球する。
【００１５】
前面枠１０１の下に設けられている下部パネル１１３には、それぞれ払い出される遊技球を貯留する上受皿１０８及び下受皿１０９が配置されている。上受皿１０８には、玉貸し／返却ボタン１１０、十字キー１１１、操作ボタン１１２が設けられている。また、下部パネル１１３には、遊技球を発射するための操作ハンドル１１４が回動可能に設けられている。
【００１６】
パチンコ機１０では、遊技者が玉貸しボタン１１０を押下すると、遊技球が上受皿１０８に貸与される。遊技者は、操作ハンドル１１４を操作することで、貸与された遊技球を遊技盤１０３に打ち出すことができる。打ち出された遊技球が始動口１０５に入ると、パチンコ機１０の内部において大当たり抽せんが行われる。
【００１７】
大当たり抽せんの結果は、ディスプレイ１０４に様々な演出を伴って表示される。大当たりの場合には、例えばディスプレイ１０４に表示される複数の図柄のうち、停止した全ての図柄が揃うことで、遊技者に大当たりしたことが告知され、大当たり状態が発生する。ディスプレイ１０４に表示される様々な演出において、例えば十字キー１１１や操作ボタン１１２を用いた遊技者による操作が促される場合もある。
【００１８】
（回転反発機構）
図２は、本発明の一実施形態に係る回転反発機構を示す図である。
【００１９】
図２に示されるように、回転反発機構１１は、回転体２０、第１反発部３０ａ、第２反発部３０ｂを有する。第１反発部３０ａ及び第２反発部３０ｂは、回転体２０の側面に交互に設けられている。
【００２０】
回転体２０は、円柱形状を有し、回転軸２１を中心に回転可能に遊技盤１０３に設けられている。なお、回転体２０は、円柱形状に限られるものではなく、例えば多角柱形状等であってもよい。回転軸２１は、遊技盤１０３の法線方向に延在するように設けられている。
【００２１】
第１反発部３０ａは、回転体２０の周方向の側面の一部分に設けられ、伸縮方向が遊技盤１０３の面内方向となるように設けられている第１バネ部材３１ａ、第１バネ部材３１ａに支持されて遊技球を撥ね返す第１部材としての第１反発部材３２ａを有する。第１バネ部材３１ａは、第１反発部材３２ａに遊技球が衝突すると変形する。
【００２２】
第１バネ部材３１ａは、回転体２０の半径方向に伸縮可能に設けられているコイルバネである。第１バネ部材３１ａは、一端が回転体２０の側面に固定され、他端に第１反発部材３２ａが固定されている。なお、第１バネ部材３１ａは、例えば板バネ等であってもよい。
【００２３】
第１反発部材３２ａは、第１バネ部材３１ａの回転体２０とは反対側端部に固定されている。第１反発部材３２ａは、伸縮する第１バネ部材３１ａからの反発力（復元力）を受けて、衝突してきた遊技球を撥ね返す。なお、第１反発部材３２ａの形状は、遊技球を撥ね返すことが可能であれば、図２に示される形状に限られない。
【００２４】
図３は、第１反発部により遊技球が撥ね返される様子を示す図である。
【００２５】
図３（Ａ）に示されるように、第１反発部３０ａの第１反発部材３２ａに遊技球１００が当たると、第１バネ部材３１ａが、第１反発部材３２ａを介して遊技球１００に押圧されて収縮する。続いて、図３（Ｂ）に示されるように、第１バネ部材３１ａが伸長して第１反発部材３２ａを押し返すことで、遊技球１００が第１反発部材３２ａに撥ね返される。
【００２６】
また、回転反発機構１１の第１反発部材３２ａ又は第２反発部材３２ｂに遊技球１００が当たると、図３（Ｂ）に示されるように、回転体２０が回転軸２１を中心に矢印方向に回転する。なお、回転体２０は、時計回り方向及び反時計回り方向の両方に回転可能に設けられており、遊技球１００の衝突角度によって時計回り方向又は反時計回り方向に回転する。
【００２７】
回転反発機構１１の第２反発部３０ｂは、図２に示されるように、回転体２０周方向の側面において第１反発部３０ａとは異なる部分に設けられ、伸縮方向が遊技盤１０３の面内方向となるように設けられている第２バネ部材３１ｂ、第２バネ部材３１ｂに支持されて遊技球を撥ね返す第２部材としての第２反発部材３２ｂを有する。第２バネ部材３１ｂは、第２反発部材３２ｂに遊技球が衝突すると変形する。
【００２８】
第２バネ部材３１ｂは、回転体２０の半径方向に伸縮可能に設けられているコイルバネである。第２バネ部材３１ｂは、一端が回転体２０の側面に固定され、他端に第２反発部材３２ｂが固定されている。なお、第２バネ部材３１ｂは、例えば板バネ等であってもよい。
【００２９】
第２反発部材３２ｂは、第２バネ部材３１ｂの回転体２０とは反対側端部に固定されている。第２反発部材３２ｂは、伸縮する第２バネ部材３１ｂからの反発力を受けて、衝突してきた遊技球を撥ね返す。なお、第２反発部材３２ｂの形状は、遊技球を撥ね返すことが可能であれば、図２に示される形状に限られない。
【００３０】
第１反発部３０ａ及び第２反発部３０ｂは、上記したように同様の構成を有するが、第１バネ部材３１ａのバネ定数と第２バネ部材３１ｂのバネ定数とが異なっている。本実施形態では、第１バネ部材３１ａのバネ定数が、第２バネ部材３１ｂのバネ定数より大きい。
【００３１】
また、第１反発部３０ａの第１反発部材３２ａの反発係数が、第２反発部３０ｂの第２反発部材３２ｂの反発係数より大きくなるように、例えば第１反発部材３２ａ及び第２反発部３０ｂをそれぞれ異なる材料で形成してもよい。
【００３２】
本実施形態では、第１バネ部材３１ａのバネ定数が第２バネ部材３１ｂのバネ定数より大きく、さらに第１反発部材３２ａの反発係数が第２反発部材３２ｂの反発係数より大きくなるように構成されている。このような構成により、第１反発部３０ａ及び第２反発部３０ｂは、衝突してきた遊技球を撥ね返す力が互いに異なっている。
【００３３】
図４は、第１反発部及び第２反発部により遊技球が撥ね返される様子を示す図である。
【００３４】
第１反発部３０ａは、第１バネ部材３１ａのバネ定数が第２バネ部材３１ｂのバネ定数より大きく、第１反発部材３２ａの反発係数が第２反発部材３２ｂの反発係数より大きい。このため、第１反発部３０ａは、第１反発部材３２ａに衝突してきた遊技球１００を反発する力が第２反発部３０ｂより大きい。
【００３５】
したがって、第１反発部３０ａの第１反発部材３２ａに当たった遊技球１００は、図４（Ａ）に示されるように勢い良く撥ね返される。これに対して、第２反発部３０ｂの第２反発部材３２ｂに当たった遊技球１００は、図４（Ｂ）に示されるように、第１反発部３０ａの第１反発部材３２ａに同じ角度及び同じ速度で当たった場合に比べて、勢いを失って落下するように撥ね返される。
【００３６】
遊技球１００が第１反発部３０ａ又は第２反発部３０ｂに当たると、遊技球１００から受ける力により回転反発機構１１が時計回り方向又は反時計回り方向に回転する。回転反発機構１１が回転することにより、遊技球１００が同じ角度で回転反発機構１１に向かっても、第１反発部３０ａに当たって勢い良く撥ね返される場合と、第２反発部３０ｂに当たって勢いを失って落下するように撥ね返される場合とが生じる。このように回転反発機構１１が回転しながら遊技球１００を撥ね返すことで、遊技球１００の動きが不規則で遊技者が予測できないものとなり、遊技の興趣が向上する。
【００３７】
図１に示されるように、本実施形態に係るパチンコ機１０は、ワープ通路５２に通じるワープ孔５１の近傍に回転反発機構１１Ａが設けられている。また、各回転反発機構１１Ａの下方に回転反発機構１１Ｂが設けられている。
【００３８】
回転反発機構１１Ａでは、図１に矢印で示されるように、遊技球が第１反発部３０ａに当たってワープ孔５１に向かって勢い良く撥ね返される場合と、遊技球が第２反発部３０ｂに当たって下方に落下するように撥ね返される場合とが生じる。ワープ孔５１に入球した遊技球は、ワープ通路５２を通じてステージ５３に導かれて誘導溝５４から始動口１０５に入る確率が高い。このため、遊技者は、遊技球がワープ孔５１に向かって撥ね返されることを期待しながら、回転反発機構１１Ａに向かう遊技球の行方を追うことができる。
【００３９】
また、回転反発機構１１Ｂでは、図１に矢印で示されるように、遊技球が第１反発部３０ａに当たって始動口１０５に向かって勢いよく撥ね返される場合と、遊技球が第２反発部３０ｂに当たって下方に落下するように撥ね返される場合とが生じる。このため、遊技者は、遊技球が始動口１０５に向かって撥ね返されることを期待しながら、回転反発機構１１Ｂに向かう遊技球の行方を追うことができる。
【００４０】
上記したように、遊技盤１０３に設けられている回転反発機構１１によって、遊技球の動きが不規則で予測できないものとなり、遊技の興趣が向上する。また、ワープ孔５１や始動口１０５に向かって遊技球を撥ね返すことが可能な位置に回転反発機構１１を設けることで、遊技者に回転反発機構１１に向かう遊技球の行方に期待感を持たせることが可能になり、遊技の興趣がより向上する。
【００４１】
なお、本発明の好適な実施の形態により、特定の具体例を示して本発明を説明したが、特許請求の範囲に定義された本発明の広範な趣旨及び範囲から逸脱することなく、これら具体例に様々な修正及び変更を加えることができることは明らかである。すなわち、具体例の詳細及び添付の図面により本発明が限定されるものと解釈してはならない。
【００４２】
例えば、回転反発機構１１に設けられる第１反発部３０ａ及び第２反発部３０ｂの数や配置等は、上記した実施形態において例示した構成に限られるものではない。例えば、第１反発部３０ａの数と第２反発部３０ｂの数とが異なってもよく、第１反発部３０ａと第２反発部３０ｂとが回転体２０の側面に交互に設けられなくてもよい。また、第１反発部３０ａ及び第２反発部３０ｂと同様の構成で、バネ部材のバネ定数や反発部材の反発係数が第１反発部３０ａ及び第２反発部３０ｂとは異なる１つ又は複数の反発部が回転反発機構１１に設けられてもよい。
【００４３】
また、上記した実施形態における回転反発機構１１は、遊技球と接触することで回転するように設けられているが、このような構成に限られるものではない。回転反発機構１１は、例えば遊技盤１０３に設けられているモータ等によって、一定速度で回転駆動してもよく、予め設定されているプログラム等により回転方向や回転速度が制御されてもよい。
【００４４】
また、遊技盤１０３に設けられる回転反発機構１１の数や配置は、上記した実施形態において例示した構成に限られるものではない。回転反発機構１１は、遊技盤１０３の構成等に応じて遊技の興趣を高めることが可能な位置に１つ以上設けられる。
【符号の説明】
【００４５】
１０  パチンコ機（弾球遊技機）
１１  回転反発機構
２０  回転体
２１  回転軸
３０ａ  第１反発部
３１ａ  第１バネ部材
３２ａ  第１反発部材（第１部材）
３０ｂ  第２反発部
３１ｂ  第２バネ部材
３２ｂ  第２反発部材（第２部材）
１００  遊技球
１０３  遊技盤
【図１】
2017221306.tif 000003
【図２】
2017221306.tif 000004
【図３】
2017221306.tif 000005
【図４】
2017221306.tif 000006